(57)【要約】【課題】適切な位置に適切なコンテンツを表示すること。【解決手段】本願に係る端末装置は、表示部と、更新部とを有する。表示部は、複数のコンテンツを含む一覧を表示する。更新部は、複数のコンテンツのうち、ユーザ操作により指定された一のコンテンツに基づく新たなコンテンツを、一のコンテンツの表示位置に基づく位置に表示するように前記一覧を更新する。例えば、更新部は、一のコンテンツの遷移先を表示した後、一覧を表示させる際に一のコンテンツの表示位置に基づく位置に新たなコンテンツを表示させる。【選択図】図２
2017045165.tif 000002
【特許請求の範囲】
【請求項１】
複数のコンテンツを含む一覧を表示する表示部と、
前記複数のコンテンツのうち、ユーザ操作により指定された一のコンテンツに基づく新たなコンテンツを、前記一のコンテンツの表示位置に基づく位置に表示するように前記一覧を更新する更新部と、
を備えたことを特徴とする端末装置。
【請求項２】
前記更新部は、
前記一のコンテンツの遷移先を表示した後、前記一覧を表示させる際に前記一のコンテンツの表示位置に基づく位置に前記新たなコンテンツを表示させる
ことを特徴とする請求項１に記載の端末装置。
【請求項３】
前記更新部は、
前記遷移先の表示態様が所定の条件を満たした場合、前記遷移先から前記一覧に表示を更新する際に前記一のコンテンツの表示位置に基づく位置に前記新たなコンテンツを表示させる
ことを特徴とする請求項２に記載の端末装置。
【請求項４】
前記更新部は、
前記遷移先が表示される時間が所定の時間に達した場合、前記遷移先から前記一覧に表示を更新する際に前記一のコンテンツの表示位置に基づく位置に前記新たなコンテンツを表示させる
ことを特徴とする請求項３に記載の端末装置。
【請求項５】
前記更新部は、
前記遷移先において所定のユーザ操作がされた場合、前記遷移先から前記一覧に表示を更新する際に前記一のコンテンツの表示位置に基づく位置に前記新たなコンテンツを表示させる
ことを特徴とする請求項３に記載の端末装置。
【請求項６】
前記更新部は、
前記新たなコンテンツを前記一覧に所定の方向からスライドインさせて表示する
ことを特徴とする請求項１〜５のいずれか１項に記載の端末装置。
【請求項７】
前記更新部は、
前記一のコンテンツに隣接する位置に前記新たなコンテンツを表示する
ことを特徴とする請求項１〜６のいずれか１項に記載の端末装置。
【請求項８】
前記更新部は、
前記一覧の所定の方向の端部において一部が表示される位置に前記新たなコンテンツを表示する
ことを特徴とする請求項１〜７のいずれか１項に記載の端末装置。
【請求項９】
前記更新部は、
前記新たなコンテンツとして前記一のコンテンツに基づいて選択された広告を、前記一のコンテンツの表示位置に基づく位置に表示するように前記一覧を更新する
ことを特徴とする請求項１〜８のいずれか１項に記載の端末装置。
【請求項１０】
前記更新部は、
前記一覧に含まれる他の広告の位置に前記広告を表示する
ことを特徴とする請求項９に記載の端末装置。
【請求項１１】
コンピュータが実行する表示方法であって、
複数のコンテンツを含む一覧を表示する表示工程と、
前記複数のコンテンツのうち、ユーザ操作により指定された一のコンテンツに基づく新たなコンテンツを、前記一のコンテンツの表示位置に基づく位置に表示するように前記一覧を更新する更新工程と、
を含むことを特徴とする表示方法。
【請求項１２】
端末装置に実行させる表示プログラムであって、
複数のコンテンツを含む一覧を表示する表示手順と、
前記複数のコンテンツのうち、ユーザ操作により指定された一のコンテンツに基づく新たなコンテンツを、前記一のコンテンツの表示位置に基づく位置に表示するように前記一覧を更新する更新手順と、
を端末装置に実行させることを特徴とする表示プログラム。
【請求項１３】
一覧表示された複数のコンテンツのうち、ユーザ操作により指定された一のコンテンツに基づいて選択された新たなコンテンツを、前記一のコンテンツの表示位置に基づく位置に表示する端末装置からコンテンツの配信要求を受け付ける受付部と、
前記複数のコンテンツを前記端末装置へ配信する配信部と、
を備えたことを特徴とする配信装置。
【請求項１４】
コンピュータが実行する配信方法であって、
一覧表示された複数のコンテンツのうち、ユーザ操作により指定された一のコンテンツに基づいて選択された新たなコンテンツを、前記一のコンテンツの表示位置に基づく位置に表示する端末装置からコンテンツの配信要求を受付工程と、
前記複数のコンテンツを前記端末装置へ配信する配信工程と、
を含むことを特徴とする配信方法。
【請求項１５】
一覧表示された複数のコンテンツのうち、ユーザ操作により指定された一のコンテンツに基づいて選択された新たなコンテンツを、前記一のコンテンツの表示位置に基づく位置に表示する端末装置からコンテンツの配信要求を受付手順と、
前記複数のコンテンツを前記端末装置へ配信する配信手順と、
をコンピュータに実行させることを特徴とする配信プログラム。
【発明の詳細な説明】
【技術分野】
【０００１】
本発明は、端末装置、表示方法、表示プログラム、配信装置、配信方法、及び配信プログラムに関する。
【背景技術】
【０００２】
近年、ユーザに配信したコンテンツの内容に応じて適切なコンテンツを選択する、いわゆるコンテンツマッチによる広告選択の技術が提供されている。例えば、コンテンツに表示する広告をコンテンツから抽出した特徴語に基づいて選択する技術が提供されている。
【先行技術文献】
【特許文献】
【０００３】
【特許文献１】特開２０１４−０７５００６号公報
【発明の概要】
【発明が解決しようとする課題】
【０００４】
しかしながら、上記の従来技術では適切な位置に適切なコンテンツを表示することが難しい。例えば、コンテンツが配信済みコンテンツの内容に基づいて選択される場合、ユーザが関心を有するコンテンツに関するコンテンツが配信されるとは限らない。また、配信されるコンテンツが適切な位置にコンテンツが表示するとは限らない。
【０００５】
本願は、上記に鑑みてなされたものであって、適切な位置に適切なコンテンツを表示する端末装置、表示方法、表示プログラム、配信装置、配信方法、及び配信プログラムを提供することを目的とする。
【課題を解決するための手段】
【０００６】
本願に係る端末装置は、複数のコンテンツを含む一覧を表示する表示部と、前記複数のコンテンツのうち、ユーザ操作により指定された一のコンテンツに基づく新たなコンテンツを、前記一のコンテンツの表示位置に基づく位置に表示するように前記一覧を更新する更新部と、を備えたことを特徴とする。
【発明の効果】
【０００７】
実施形態の一態様によれば、適切な位置に適切なコンテンツを表示することができるという効果を奏する。
【図面の簡単な説明】
【０００８】
【図１】図１は、実施形態に係る配信処理の一例を示す図である。
【図２】図２は、実施形態に係る端末装置の構成例を示す図である。
【図３】図３は、実施形態に係るコンテンツ配信装置の構成例を示す図である。
【図４】図４は、実施形態に係るコンテンツ情報記憶部の一例を示す図である。
【図５】図５は、実施形態に係る広告配信装置の構成例を示す図である。
【図６】図６は、実施形態に係る広告情報記憶部の一例を示す図である。
【図７】図７は、実施形態に係る広告を配信する処理の一例を示すフローチャートである。
【図８】図８は、実施形態に係る広告を受信する処理の一例を示すフローチャートである。
【図９】図９は、実施形態に係る広告を表示する処理の一例を示すフローチャートである。
【図１０】図１０は、変形例に係る表示処理の一例を示す図である。
【図１１】図１１は、変形例に係る表示処理の一例を示す図である。
【図１２】図１２は、広告配信装置の機能を実現するコンピュータの一例を示すハードウェア構成図である。
【発明を実施するための形態】
【０００９】
以下に、本願に係る端末装置、表示方法、表示プログラム、配信装置、配信方法、及び配信プログラムを実施するための形態（以下、「実施形態」と呼ぶ）について図面を参照しつつ詳細に説明する。なお、この実施形態により本願に係る端末装置、表示方法、表示プログラム、配信装置、配信方法、及び配信プログラムが限定されるものではない。また、以下の各実施形態において同一の部位には同一の符号を付し、重複する説明は省略される。
【００１０】
（実施形態）
〔１．配信処理〕
まず、図１を用いて、実施形態に係る配信処理の一例について説明する。図１は、実施形態に係る配信処理の一例を示す図である。図１に示す端末装置１０は、コンテンツ配信装置１００により配信されたコンテンツを表示する。また、端末装置１０は、コンテンツに含まれる広告表示領域に広告配信装置５０から配信された広告を表示する。また、ここでいう端末装置１０に表示されるコンテンツは、例えばウェブページや所定のアプリケーション（以下、単に「アプリ」とする場合がある）において画面に表示されるコンテンツ全体をいう。
【００１１】
図１に示すように、配信システム１には、端末装置１０と、コンテンツ配信装置１００と、広告配信装置５０とが含まれる。端末装置１０と、コンテンツ配信装置１００と、広告配信装置５０とは図示しない所定の通信網を介して、有線または無線により通信可能に接続される。なお、図１に示した配信システム１には、複数台の端末装置１０や、複数台のコンテンツ配信装置１００や、複数台の広告配信装置５０が含まれてもよい。
【００１２】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１に示す例においては、端末装置１０がタッチパネル機能を有するスマートフォンである場合を示す。
【００１３】
また、端末装置１０は、ユーザによる操作を受け付ける。図１に示す例において、端末装置１０は、所定のアプリに表示するコンテンツをコンテンツ配信装置１００へ要求する。なお、配信されるコンテンツがウェブページの場合、所定のアプリは、ブラウザであってもよい。また、端末装置１０は、複数のコンテンツのうち、ユーザ操作により指定された一のコンテンツに基づく新たなコンテンツを、一のコンテンツの表示位置に基づく位置に表示するように一覧を更新する。具体的には、端末装置１０は、一の見出しコンテンツの遷移先を表示した後、一覧コンテンツを表示させる際に一の見出しコンテンツの表示位置に基づく位置に広告を表示させる。
【００１４】
なお、ここでいう見出しコンテンツは、例えば記事のタイトルと関連する画像とを含むコンテンツである。また、ここでいう見出しコンテンツの遷移先とは、例えば、見出しコンテンツをユーザが選択することにより表示されるコンテンツであって、見出しコンテンツに対応する詳細な記事の内容を含むコンテンツである。以下では、端末装置１０をユーザと表記する場合がある。すなわち、以下では、ユーザを端末装置１０と読み替えることもできる。また、以下では、新たなコンテンツが広告である場合を例に説明する。
【００１５】
また、図１に示す例では、端末装置１０における所定のアプリにより一覧表示されるコンテンツである一覧コンテンツＣＴ１０は、画像とタイトルからなるコンテンツである見出しコンテンツＣＴ１１〜ＣＴ１４等を含む。すなわち、一覧コンテンツＣＴ１０は、見出しコンテンツＣＴ１１〜ＣＴ１４等の一覧である。なお、見出しコンテンツＣＴ１４の下部には、図示しない見出しコンテンツが並べて配置されており、ユーザがスクロール操作等を行うことにより、表示する見出しコンテンツを変更することができる。
【００１６】
また、端末装置１０は、各見出しコンテンツＣＴ１１〜ＣＴ１４等が表示された部分をユーザがタッチした場合、タッチされた見出しコンテンツに対応する詳細な内容を含むコンテンツである記事コンテンツを表示する画面に遷移する。例えば、端末装置１０において見出しコンテンツＣＴ１１が表示される部分がユーザにより選択された場合、端末装置１０は、見出しコンテンツＣＴ１１に対応する記事コンテンツＣＴ１１０を表示する画面に遷移する。
【００１７】
コンテンツ配信装置１００は、コンテンツを配信する情報処理装置である。例えば、コンテンツ配信装置１００は、端末装置１０からの要求に応じて、端末装置１０における所定のアプリに表示されるコンテンツを配信する。図１に示す例において、コンテンツ配信装置１００は、見出しコンテンツＣＴ１１〜ＣＴ１４を含む一覧コンテンツＣＴ１０を端末装置１０に配信する。
【００１８】
広告配信装置５０は、コンテンツに含まれる広告表示領域に表示される広告を配信する情報処理装置である。例えば、広告配信装置５０は、一覧コンテンツＣＴ１０に含まれる広告表示領域ＡＲ１１に表示される広告を配信する。また、広告配信装置５０は、端末装置１０において端末装置１０を利用するユーザ（以下、単に「ユーザ」とする）の操作により指定された一のコンテンツに基づく広告を配信する。
【００１９】
以下、図１を用いて、配信処理の一例を説明する。図１では、端末装置１０における表示内容の変更に応じて、端末装置１０を端末装置１０−１〜端末装置１０−４として説明する。なお、端末装置１０−１〜１０−４は同一の端末装置１０である。また、以下では、端末装置１０−１〜端末装置１０−４について、特に区別なく説明する場合には、端末装置１０と記載する。
【００２０】
図１に示すように、ユーザの操作により所定のアプリが起動された端末装置１０−１は、コンテンツ配信装置１００にコンテンツの配信要求を送信する（ステップＳ１０）。
【００２１】
端末装置１０から配信要求を受け付けたコンテンツ配信装置１００は、端末装置１０にコンテンツを配信する（ステップＳ１１）。具体的には、コンテンツ配信装置１００は、見出しコンテンツＣＴ１１〜ＣＴ１４を含む一覧コンテンツＣＴ１０を端末装置１０に配信する。
【００２２】
その後、端末装置１０−１は、コンテンツ配信装置１００から受信したコンテンツを表示する（ステップＳ１２）。具体的には、端末装置１０−１は、見出しコンテンツＣＴ１１〜ＣＴ１４を含む一覧コンテンツＣＴ１０を表示する。ここで、見出しコンテンツＣＴ１１は、経済、特に為替に関する見出しと画像とを含むコンテンツである。また、見出しコンテンツＣＴ１２は、テクノロジ、特にスマートフォン等の携帯端末に関する見出しと画像とを含むコンテンツである。また、見出しコンテンツＣＴ１３は、経済、特に株式市場に関する見出しと画像とを含むコンテンツである。また、見出しコンテンツＣＴ１４は、法律、特に民事的な賃貸借契約等に関する見出しと画像とを含むコンテンツである。
【００２３】
その後、ユーザは見出しコンテンツＣＴ１１が表示された部分を指Ｆ１でタッチすることにより、端末装置１０−１に表示された一覧コンテンツＣＴ１０のうち、見出しコンテンツＣＴ１１を選択する（ステップＳ１３）。
【００２４】
ステップＳ１３において見出しコンテンツＣＴ１１が選択された後、端末装置１０−２は、見出しコンテンツＣＴ１１の遷移先である記事コンテンツＣＴ１１０を表示する（ステップＳ１４）。記事コンテンツＣＴ１１０には、見出しコンテンツＣＴ１１に対応する為替に関する詳細な記事が含まれる。
【００２５】
その後、ユーザは戻るボタンＢＴ１１を押下することにより（ステップＳ１５）、遷移元を再表示する（ステップＳ１６）。具体的には、ユーザは戻るボタンＢＴ１１が表示された部分を指Ｆ１でタッチすることにより、一覧コンテンツＣＴ１０を再表示する。
【００２６】
ここで、端末装置１０は、遷移元である一覧コンテンツＣＴ１０を再表示させる際に、広告要求を広告配信装置５０に送信する（ステップＳ１７）。このとき、端末装置１０は、見出しコンテンツＣＴ１１に関する情報を広告配信装置５０に送信する。
【００２７】
端末装置１０から広告要求を受信した広告配信装置５０は、端末装置１０に広告を配信する（ステップＳ１８）。この場合、広告配信装置５０は、見出しコンテンツＣＴ１１に関する情報に基づく広告を配信する。例えば、広告配信装置５０は、見出しコンテンツＣＴ１１である「円７年１０カ月ぶりに１２２円台後半」の文字情報に基づく広告を配信する。具体的には、広告配信装置５０は、見出しコンテンツＣＴ１１の文字情報に含まれる単語「円」や見出しコンテンツＣＴ１１のカテゴリ「経済」に基づく広告を配信する。図１では、広告配信装置５０は、ＦＸ（Foreign  eXchange：外国為替保証金取引）に関する広告ＡＣ１１を端末装置１０に配信する。なお、端末装置１０が広告要求を広告配信装置５０へ送信するタイミングは、上記に限らず、例えば、ステップＳ１４において遷移先を表示させる際に、端末装置１０は、広告要求を広告配信装置５０へ送信してもよい。また、端末装置１０は、ステップＳ１４において遷移先を表示させる際に、見出しコンテンツＣＴ１１に関する情報を広告配信装置５０に送信してもよい。また、広告配信装置５０は、コンテンツ配信装置１００から端末装置１０が見出しコンテンツＣＴ１１を選択したことを示す情報や見出しコンテンツＣＴ１１に関する情報を取得してもよい。例えば、コンテンツ配信装置１００は、所定の制御情報を含む一覧コンテンツＣＴ１０を端末装置１０へ配信することにより、端末装置１０に表示された一覧コンテンツＣＴ１０に対するユーザ操作に関する情報を取得してもよい。この場合、コンテンツ配信装置１００は、例えば、端末装置１０において選択された見出しコンテンツに関する情報をコンテンツ配信装置１００へ送信する制御情報を含む一覧コンテンツＣＴ１０を、端末装置１０へ配信してもよい。例えば、上述した制御情報は、ＪａｖａＳｃｒｉｐｔ（登録商標）などであってもよい。また、例えば、コンテンツ配信装置１００は、一覧コンテンツＣＴ１０を表示するアプリの機能により、端末装置１０に表示された一覧コンテンツＣＴ１０に対するユーザ操作に関する情報を取得してもよい。
【００２８】
また、端末装置１０−３において再表示された一覧コンテンツＣＴ１０には、広告表示領域ＡＲ１１が含まれる。具体的には、端末装置１０−３において表示された一覧コンテンツＣＴ１０には、見出しコンテンツＣＴ１１の配置位置から下に連続する位置に広告表示領域ＡＲ１１が配置される。すなわち、端末装置１０−１において、見出しコンテンツＣＴ１１〜ＣＴ１４の順で並ぶ一覧コンテンツＣＴ１０が表示されていたが、端末装置１０−３においては、見出しコンテンツＣＴ１１、広告表示領域ＡＲ１１、見出しコンテンツＣＴ１２、ＣＴ１３の順で並ぶ一覧コンテンツＣＴ１０が表示される。つまり、端末装置１０−３中の一覧コンテンツＣＴ１０において、見出しコンテンツＣＴ１２、ＣＴ１３は広告表示領域ＡＲ１１の縦幅分だけ下方へ移動し、見出しコンテンツＣＴ１４は表示されなくなる。このように、端末装置１０は、見出しコンテンツＣＴ１１〜ＣＴ１４のうち、ユーザ操作により指定された見出しコンテンツＣＴ１１に基づく広告ＡＣ１１を、見出しコンテンツＣＴ１１の表示位置に基づく位置に表示するように一覧コンテンツＣＴ１０を更新する。
【００２９】
そして、端末装置１０−３中の広告表示領域ＡＲ１１には、ステップＳ１８において配信された広告ＡＣ１１がスライドイン表示される（ステップＳ１９）。具体的には、端末装置１０−３中の広告表示領域ＡＲ１１には、広告ＡＣ１１が広告表示領域ＡＲ１１の右端部から徐々に左端部へ向かって移動するように広告ＡＣ１１が差し込み表示される。そして、端末装置１０−４において、広告ＡＣ１１が広告表示領域ＡＲ１１の左端部まで到達することにより、広告ＡＣ１１が表示される（ステップＳ２０）。
【００３０】
上述したように、端末装置１０は、ユーザが選択した一のコンテンツに基づく広告を選択した一のコンテンツの表示位置に基づく位置に表示するように一覧を更新する。これにより、端末装置１０は、適切な位置に適切な広告を表示することができる。すなわち、端末装置１０は、適切な位置に適切なコンテンツを表示することができる。したがって、図１において、端末装置１０は、表示する広告の広告効果を高めることができる。なお、端末装置１０が広告配信装置５０に広告要求を送信するタイミングは、広告を表示する前であれば、目的に応じて適宜選択される種々のタイミングであってもよい。また、上記例においては、広告ＡＣ１１を右端部からスライドイン表示する場合を例に示したが、広告の表示態様が目的に応じて適宜選択されてもよい。例えば、広告ＡＣ１１を左側からスライドイン表示されてもよい。例えば、ユーザが端末装置１０の画面の右側をタッチしている場合、広告ＡＣ１１を左側からスライドイン表示させることにより、広告ＡＣ１１が表示されたことをユーザが視認する可能性を高めることができる。
【００３１】
また、端末装置１０は、表示する広告の数を制限してもよい。例えば、端末装置１０は、画面中に所定数以上の広告が表示されている場合、遷移元を再表示させる操作があった場合であっても、広告配信装置５０に広告要求を送信しなくてもよい。例えば、端末装置１０は、画面中に２個以上の広告が既に表示されている場合、遷移元を再表示させる操作があった場合であっても、広告配信装置５０に広告要求を送信しなくてもよい。このように、端末装置１０は、表示される広告の数を制限することにより、ユーザの満足度を向上させることができる。また、端末装置１０は、表示される広告の数を制限することにより、表示される広告の広告効果を向上させることができる。また、端末装置１０は、広告が表示される間隔が所定の間隔以上になるように、広告を表示する位置を決定してもよい。例えば、端末装置１０は、複数の広告が連続して並ばないように、広告を表示する位置を決定してもよい。すなわち、端末装置１０は、２つの広告の間には、少なくとも１つの見出しコンテンツが配置されるように、広告を表示する位置を決定してもよい。このように、端末装置１０は、複数の広告が近接して表示されることを制限することにより、ユーザの満足度を向上させることができる。また、端末装置１０は、複数の広告が近接して表示されることを制限することにより、各広告の広告効果を向上させることができる。
【００３２】
また、上記の例においては、コンテンツ配信装置１００と広告配信装置５０とは、別装置である場合を示したが、コンテンツ配信装置１００と広告配信装置５０とが一体であってもよい。例えば、コンテンツ配信装置１００は、広告配信装置５０の機能を有し、コンテンツの配信、及び広告の配信の両方を行ってもよい。この場合、コンテンツ配信装置１００は、広告表示領域に広告を配置したコンテンツを配信してもよい。
【００３３】
〔２．端末装置の構成〕
次に、図２を用いて、実施形態に係る端末装置１０の構成について説明する。図２は、実施形態に係る端末装置１０の構成例を示す図である。図２に示すように、端末装置１０は、通信部１１と、記憶部１２と、入力部１３と、出力部１４と、制御部１５とを有する。
【００３４】
（通信部１１）
通信部１１は、例えば、通信回路等によって実現される。そして、通信部１１は、図示しない所定の通信網と有線または無線で接続され、コンテンツ配信装置１００や広告配信装置５０との間で情報の送受信を行う。
【００３５】
（記憶部１２）
記憶部１２は、例えば、ＲＡＭ（Random  Access  Memory）、フラッシュメモリ（Flash  Memory）等の半導体メモリ素子、または、ハードディスク、光ディスク等の記憶装置によって実現される。記憶部１２は、例えば、端末装置１０にインストールされているアプリケーションに関する情報、例えばプログラム等を記憶する。
【００３６】
（入力部１３）
入力部１３は、ユーザから各種操作が入力される。例えば、入力部１３は、タッチパネル機能により表示面（例えば出力部１４）を介してユーザからの各種操作を受け付けてもよい。また、入力部１３は、端末装置１０に設けられたボタンや、端末装置１０に接続されたキーボードやマウスからの各種操作を受け付けてもよい。
【００３７】
（出力部１４）
出力部１４は、例えば液晶ディスプレイや有機ＥＬ（Electro-Luminescence）ディスプレイ等によって実現されるタブレット端末等の表示画面であり、各種情報を表示するための表示装置である。
【００３８】
（制御部１５）
制御部１５は、例えば、例えば、ＣＰＵ（Central  Processing  Unit）やＭＰＵ（Micro  Processing  Unit）等によって、端末装置１０内部の記憶部１２などの記憶装置に記憶されている各種プログラムがＲＡＭを作業領域として実行されることにより実現される。例えば、この各種プログラムは、インストールされているアプリケーションのプログラムが含まれる。また、制御部１５は、例えば、ＡＳＩＣ（Application  Specific  Integrated  Circuit）やＦＰＧＡ（Field  Programmable  Gate  Array）等の集積回路により実現される。
【００３９】
図２に示すように、制御部１５は、受付部１５１と、送信部１５２と、受信部１５３と、表示部１５４とを有し、以下に説明する生成処理の機能や作用を実現または実行する。なお、制御部１５の内部構成は、図２に示した構成に限られず、後述する生成処理を行う構成であれば他の構成であってもよい。また、制御部１５が有する各処理部の接続関係は、図２に示した接続関係に限られず、他の接続関係であってもよい。
【００４０】
（受付部１５１）
受付部１５１は、例えば入力部１３を介してユーザにより各種操作を受け付ける。また、受付部１５１は、受け付けた各種操作に基づく情報を表示部１５４や更新部１５５へ受け渡す。例えば、受付部１５１は、表示部１５４により表示された一覧コンテンツＣＴ１０の表示を変更するユーザ操作を受け付ける。例えば、受付部１５１は、表示部１５４により出力部１４に表示される一覧コンテンツＣＴ１０中の表示される範囲を変更するユーザ操作を受け付ける。例えば、受付部１５１は、ユーザによる上スクロール操作や下スクロール操作を受け付ける。また、受付部１５１は、ユーザによるコンテンツの指定を受け付ける。例えば、受付部１５１は、一覧コンテンツＣＴ１０中の見出しコンテンツＣＴ１１〜ＣＴ１４等に対するユーザの指定を受け付ける。
【００４１】
（送信部１５２）
送信部１５２は、外部装置へ種々の情報を送信する。送信部１５２は、受付部１５１により受け付けたユーザ操作に従って、コンテンツ配信装置１００へ配信要求を送信する。また、送信部１５２は、受付部１５１により受け付けたユーザ操作に従って、広告要求を広告配信装置５０へ送信してもよい。
【００４２】
（受信部１５３）
受信部１５３は、外部装置から配信された種々の情報を受信する。受信部１５３は、コンテンツ配信装置１００や広告配信装置５０等の外部装置から種々の情報を受信する。受信部１５３は、コンテンツ配信装置１００から配信されたコンテンツを受信する。例えば、受信部１５３は、コンテンツ配信装置１００から見出しコンテンツＣＴ１１〜ＣＴ１４等を含む一覧コンテンツＣＴ１０を受信する。また、受信部１５３は、広告配信装置５０から配信された広告を受信する。例えば、受信部１５３は、広告配信装置５０から広告ＡＣ１１を受信する。
【００４３】
（表示部１５４）
表示部１５４は、出力部１４を介して各種情報を表示する。表示部１５４は、複数のコンテンツを含む一覧を表示する。例えば、表示部１５４は、見出しコンテンツＣＴ１１〜ＣＴ１４等を含む一覧コンテンツＣＴ１０を表示する。また、表示部１５４は、見出しコンテンツＣＴ１１がユーザにより指定された場合、見出しコンテンツＣＴ１１に対応する記事コンテンツＣＴ１１０を表示する。
【００４４】
（更新部１５５）
更新部１５５は、出力部１４を介して表示された各種情報を更新する。更新部１５５は、複数のコンテンツのうち、ユーザ操作により指定された一のコンテンツに基づく新たなコンテンツを、一のコンテンツの表示位置に基づく位置に表示するように一覧を更新する。例えば、更新部１５５は、見出しコンテンツＣＴ１１〜ＣＴ１４のうち、ユーザ操作により指定された見出しコンテンツＣＴ１１に基づく広告ＡＣ１１を、見出しコンテンツＣＴ１１の表示位置に基づく位置に表示するように一覧コンテンツＣＴ１０を更新する。このように、更新部１５５は、新たなコンテンツとして一のコンテンツに基づいて選択された広告を、一のコンテンツの表示位置に基づく位置に表示するように一覧を更新する。
【００４５】
更新部１５５は、一のコンテンツの遷移先を表示した後、一覧を表示させる際に一のコンテンツの表示位置に基づく位置に新たなコンテンツを表示させる。例えば、更新部１５５は、見出しコンテンツＣＴ１１の遷移先である記事コンテンツＣＴ１１０を表示した後、一覧コンテンツＣＴ１０を表示させる際に見出しコンテンツＣＴ１１の表示位置に基づく位置に広告ＡＣ１１を表示させる。
【００４６】
更新部１５５は、遷移先の表示態様が所定の条件を満たした場合、遷移先から一覧に表示を更新する際に一のコンテンツの表示位置に基づく位置に新たなコンテンツを表示させる。具体的には、更新部１５５は、遷移先が表示される時間が所定の時間に達した場合、遷移先から一覧に表示を更新する際に一のコンテンツの表示位置に基づく位置に新たなコンテンツを表示させる。例えば、更新部１５５は、見出しコンテンツＣＴ１１の遷移先である記事コンテンツＣＴ１１０が５秒以上表示された場合、記事コンテンツＣＴ１１０から一覧コンテンツＣＴ１０に戻る際に見出しコンテンツＣＴ１１の表示位置に基づく位置に広告ＡＣ１１を表示させる。
【００４７】
また、更新部１５５は、遷移先において所定のユーザ操作がされた場合、遷移先から一覧に表示を更新する際に一のコンテンツの表示位置に基づく位置に新たなコンテンツを表示させる。例えば、更新部１５５は、見出しコンテンツＣＴ１１の遷移先である記事コンテンツＣＴ１１０の表示中にユーザがスクロール操作を行った場合、記事コンテンツＣＴ１１０から一覧コンテンツＣＴ１０に戻る際に見出しコンテンツＣＴ１１の表示位置に基づく位置に広告ＡＣ１１を表示させる。
【００４８】
更新部１５５は、新たなコンテンツを一覧に所定の方向からスライドインさせて表示する。例えば、更新部１５５は、広告ＡＣ１１を一覧コンテンツＣＴ１０に含まれる広告表示領域ＡＲ１１の右端部からスライドインさせて表示する。また、更新部１５５は、一のコンテンツに隣接する位置に新たなコンテンツを表示する。例えば、更新部１５５は、見出しコンテンツＣＴ１１の配置位置から下に連続する位置に広告ＡＣ１１が配置される。
【００４９】
また、更新部１５５は、一覧の所定の方向の端部において一部が表示される位置に新たなコンテンツを表示してもよい。また、更新部１５５は、一覧に含まれる他の広告の位置に広告を表示してもよい。なお、これらの表示の更新については後述する。
【００５０】
なお、上述した制御部１５による表示処理や更新処理等の処理は、例えば、ＪａｖａＳｃｒｉｐｔ（登録商標）などにより実現されてもよい。例えば、制御部１５による表示処理や更新処理等の処理は、コンテンツ配信装置１００や広告配信装置５０から受信した制御情報により実現されてもよい。また、上述した表示処理が所定のアプリケーションにより行われる場合や表示処理が専用アプリにより行われる場合、制御部１５は、例えば、所定のアプリや専用アプリを制御するアプリ制御部を有してもよい。
【００５１】
〔３．コンテンツ配信装置の構成〕
次に、図３を用いて、実施形態に係るコンテンツ配信装置１００の構成について説明する。図３は、実施形態に係るコンテンツ配信装置１００の構成例を示す図である。図３に示すように、コンテンツ配信装置１００は、通信部１１０と、記憶部１２０と、制御部１３０とを有する。なお、コンテンツ配信装置１００は、コンテンツ配信装置１００の管理者等から各種操作を受け付ける入力部（例えば、キーボードやマウス等）や、各種情報を表示するための表示部（例えば、液晶ディスプレイ等）を有してもよい。
【００５２】
（通信部１１０）
通信部１１０は、例えば、ＮＩＣ（Network  Interface  Card）等によって実現される。そして、通信部１１０は、ネットワークと有線または無線で接続され、端末装置１０との間で情報の送受信を行う。
【００５３】
（記憶部１２０）
記憶部１２０は、例えば、ＲＡＭ、フラッシュメモリ等の半導体メモリ素子、または、ハードディスク、光ディスク等の記憶装置によって実現される。実施形態に係る記憶部１２０は、図３に示すように、コンテンツ情報記憶部１２１を有する。
【００５４】
（コンテンツ情報記憶部１２１）
実施形態に係るコンテンツ情報記憶部１２１は、コンテンツに関する各種情報を記憶する。図４に、実施形態に係るコンテンツ情報記憶部１２１の一例を示す。図４に示すコンテンツ情報記憶部１２１は、「コンテンツＩＤ」、「コンテンツ」、「提供元ＩＤ」、「カテゴリ」といった項目を有する。
【００５５】
「コンテンツＩＤ」は、コンテンツを識別するための識別情報を示す。「コンテンツ」は、いわゆるコンテンツプロバイダ等の提供元から取得したコンテンツを示す。図４では「コンテンツ」に「ＣＴ１１」といった概念的な情報が格納される例を示したが、実際には、静止画像や動画像やテキストデータやＵＲＬ、または、これらの格納場所を示すファイルパス名などが格納される。また、「提供元ＩＤ」は、コンテンツの提供元を識別するための識別情報を示す。「カテゴリ」は、コンテンツの内容に基づく分類情報を示す。また、コンテンツ情報記憶部１２１は、対応するコンテンツＩＤにより識別されるコンテンツに含まれる画像に関する情報を記憶する。
【００５６】
例えば、図４に示す例において、コンテンツＩＤ「ＣＴ１１」により識別されるコンテンツは、提供元ＩＤ「ＣＰ１１」により識別される提供元から取得したコンテンツであり、その内容はカテゴリ「経済」に分類されることを示す。例えば、図４に示す例において、コンテンツＩＤ「ＣＴ１１」により識別されるコンテンツは、見出しコンテンツＣＴ１１である。
【００５７】
なお、コンテンツ情報記憶部１２１は、上記に限らず、目的に応じて種々の情報を記憶してもよい。例えば、コンテンツ情報記憶部１２１は、コンテンツを取得した日時やコンテンツが作成された日時に関する情報を記憶してもよい。
【００５８】
（制御部１３０）
図３の説明に戻って、制御部１３０は、例えば、ＣＰＵやＭＰＵ等によって、コンテンツ配信装置１００内部の記憶装置に記憶されている各種プログラム（配信プログラムの一例に相当）がＲＡＭを作業領域として実行されることにより実現される。また、制御部１３０は、例えば、ＡＳＩＣやＦＰＧＡ等の集積回路により実現される。
【００５９】
図３に示すように、制御部１３０は、受付部１３１と、選択部１３２と、配信部１３３とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００６０】
受付部１３１は、端末装置１０からコンテンツの配信要求を受け付ける。例えば、受付部１３１は、一覧表示された複数のコンテンツのうち、ユーザ操作により指定された一のコンテンツに基づいて選択された新たなコンテンツを、一のコンテンツの表示位置に基づく位置に表示する端末装置１０からコンテンツの配信要求を受け付ける。
【００６１】
選択部１３２は、受付部１３１によりコンテンツの配信要求が受け付けられた場合、端末装置１０へ配信するコンテンツを選択する。例えば、選択部１３２は、受付部１３１によりコンテンツの配信要求が受け付けられた場合、端末装置１０へ配信する見出しコンテンツＣＴ１１〜ＣＴ１４等を選択する。
【００６２】
配信部１３３は、複数のコンテンツを端末装置１０へ配信する。例えば、配信部１３３は、見出しコンテンツＣＴ１１〜ＣＴ１４を含む一覧コンテンツＣＴ１０を端末装置１０に配信する。また、配信部１３３は、複数のコンテンツと、複数のコンテンツのうち、ユーザ操作により指定された一のコンテンツに基づく新たなコンテンツを、一のコンテンツの表示位置に基づく位置に表示させる制御情報とを端末装置１０へ配信してもよい。例えば、配信部１３３は、見出しコンテンツＣＴ１１〜ＣＴ１４を含む一覧コンテンツＣＴ１０と、ユーザ操作により指定された見出しコンテンツＣＴ１１に基づく広告ＡＣ１１を、見出しコンテンツＣＴ１１の表示位置に基づく位置に表示させる制御情報とを端末装置１０へ配信してもよい。また、例えば、配信部１３３は、一覧コンテンツＣＴ１０と、見出しコンテンツＣＴ１１の遷移先である記事コンテンツＣＴ１１０を表示した後、一覧コンテンツＣＴ１０を表示させる際に見出しコンテンツＣＴ１１の表示位置に基づく位置に広告ＡＣ１１を表示させる制御情報とを端末装置１０へ配信してもよい。すなわち、配信部１３３は、広告を表示する位置や広告を取得するタイミングを制御する制御情報を端末装置１０へ配信してもよい。
【００６３】
〔４．広告配信装置の構成〕
次に、図５を用いて、実施形態に係る広告配信装置５０の構成について説明する。図５は、実施形態に係る広告配信装置５０の構成例を示す図である。図５に示すように、広告配信装置５０は、通信部５１と、記憶部５２と、制御部５３とを有する。なお、広告配信装置５０は、広告配信装置５０の管理者等から各種操作を受け付ける入力部（例えば、キーボードやマウス等）や、各種情報を表示するための表示部（例えば、液晶ディスプレイ等）を有してもよい。
【００６４】
（通信部５１）
通信部５１は、例えば、ＮＩＣ等によって実現される。そして、通信部５１は、ネットワークと有線または無線で接続され、端末装置１０との間で情報の送受信を行う。
【００６５】
（記憶部５２）
記憶部５２は、例えば、ＲＡＭ、フラッシュメモリ等の半導体メモリ素子、または、ハードディスク、光ディスク等の記憶装置によって実現される。実施形態に係る記憶部５２は、図５に示すように、広告情報記憶部５２１を有する。
【００６６】
（広告情報記憶部５２１）
実施形態に係る広告情報記憶部５２１は、広告に関する各種情報を記憶する。図６に、実施形態に係る広告情報記憶部５２１の一例を示す。図６に示す広告情報記憶部５２１は、「広告ＩＤ」、「広告コンテンツ」、「広告主ＩＤ」、「商品名」といった項目を有する。
【００６７】
「広告ＩＤ」は、広告を識別するための識別情報を示す。「広告コンテンツ」は、広告主から入稿された広告を示す。図６では「広告コンテンツ」に「ＡＣ１１」といった概念的な情報が格納される例を示したが、実際には、静止画像や動画像やテキストデータやＵＲＬ、または、これらの格納場所を示すファイルパス名などが格納される。「広告主ＩＤ」は、広告主を識別するための識別情報を示す。なお、広告主は、入稿作業等を代理店に依頼する場合もある。以下では、「広告主」といった表記は、広告主だけでなく代理店を含む概念であるものとする。「商品名」は、広告の対象となる商品名やサービス名を示す。なお、各商品を識別する情報としては「商品名」に限らず、商品を識別するための「商品ＩＤ」等の情報を記憶してもよい。
【００６８】
例えば、図６に示す例において、広告ＩＤ「Ａ１１」により識別される広告ＡＣ１１は、広告主ＩＤ「ＡＰ１」により識別される広告主から取得した広告であり、その広告の対象となる商品は「外為取引Ａ」であることを示す。
【００６９】
なお、広告情報記憶部５２１は、上記に限らず、目的に応じて種々の情報を記憶してもよい。例えば、広告情報記憶部５２１は、入札価格に関する情報等を記憶してもよい。
【００７０】
（制御部５３）
図５の説明に戻って、制御部５３は、例えば、ＣＰＵやＭＰＵ等によって、広告配信装置５０内部の記憶装置に記憶されている各種プログラム（広告配信プログラムの一例に相当）がＲＡＭを作業領域として実行されることにより実現される。また、制御部５３は、例えば、ＡＳＩＣやＦＰＧＡ等の集積回路により実現される。
【００７１】
図５に示すように、制御部５３は、受付部５３１と、選択部５３２と、配信部５３３とを有し、以下に説明する情報処理の機能や作用を実現または実行する。なお、制御部５３の内部構成は、図５に示した構成に限られず、後述する情報処理を行う構成であれば他の構成であってもよい。また、制御部５３が有する各処理部の接続関係は、図５に示した接続関係に限られず、他の接続関係であってもよい。
【００７２】
受付部５３１は、端末装置１０から広告要求を受け付ける。例えば、受付部５３１は、一のコンテンツの遷移先を表示した後、一覧を表示させる際に一のコンテンツの表示位置に基づく位置に表示される広告の広告要求を端末装置１０から受け付ける。また、受付部５３１は、端末装置１０においてユーザに指定されたコンテンツに関する情報を受け付ける。例えば、受付部５３１は、端末装置１０から見出しコンテンツＣＴ１１に関する情報を受け付ける。
【００７３】
また、受付部５３１は、広告主から広告の入稿を受け付けてもよい。なお、受付部５３１は、広告主から広告の入稿を依頼された代理店から広告の入稿を受け付けてもよい。この場合、例えば、受付部５３１は、広告主や代理店が利用する情報処理装置から広告の入稿を受け付けてもよい。また、例えば、受付部５３１は、受け付けた広告を広告情報記憶部５２１に記憶する。
【００７４】
選択部５３２は、受付部５３１により広告要求が受け付けられた場合、端末装置１０へ配信する広告を選択する。例えば、選択部５３２は、受付部５３１により広告要求が受け付けられた場合、見出しコンテンツＣＴ１１に関する情報に基づいて端末装置１０へ配信する広告ＡＣ１１を選択する。
【００７５】
配信部５３３は、選択部５３２により選択された広告を端末装置１０へ配信する。例えば、配信部５３３は、見出しコンテンツに関する情報に基づいて選択部５３２が選択したＦＸに関する広告ＡＣ１１を端末装置１０に配信する。なお、配信部５３３は、受付部５３１が端末装置１０から広告要求を取得した場合、選択部５３２により予め選択された広告を端末装置１０へ配信してもよい。また、配信部５３３は、複数のコンテンツのうち、ユーザ操作により指定された一のコンテンツに基づく新たなコンテンツを、一のコンテンツの表示位置に基づく位置に表示させる制御情報を端末装置１０へ配信してもよい。例えば、配信部５３３は、一覧コンテンツＣＴ１０のうち、ユーザ操作により指定された見出しコンテンツＣＴ１１に基づく広告ＡＣ１１を、見出しコンテンツＣＴ１１の表示位置に基づく位置に表示させる制御情報を端末装置１０へ配信してもよい。また、例えば、配信部５３３は、見出しコンテンツＣＴ１１の遷移先である記事コンテンツＣＴ１１０を表示した後、一覧コンテンツＣＴ１０を表示させる際に見出しコンテンツＣＴ１１の表示位置に基づく位置に広告ＡＣ１１を表示させる制御情報を端末装置１０へ配信してもよい。すなわち、配信部５３３は、広告を表示する位置を制御する制御情報を端末装置１０へ配信してもよい。
【００７６】
〔５．広告配信のフロー〕
次に、図７を用いて、実施形態に係る広告配信装置５０による広告選択処理の手順について説明する。図７は、実施形態に係る広告を配信する処理の一例を示すフローチャートである。
【００７７】
図７に示すように、広告配信装置５０の受付部５３１は、遷移元で選択したコンテンツの情報を受け付ける（ステップＳ１０１）。例えば、受付部５３１は、遷移元である一覧コンテンツＣＴ１０においてユーザが指定した見出しコンテンツＣＴ１１に関する情報を端末装置１０から受け付ける。また、受付部５３１は、端末装置１０から広告要求を受け付ける（ステップＳ１０２）。なお、ステップＳ１０１とステップＳ１０２とは同時であってもよい。例えば、受付部５３１は、遷移元で選択したコンテンツの情報を端末装置１０からの広告要求として受け付けてもよい。
【００７８】
その後、広告配信装置５０の選択部５３２は、コンテンツに関する情報に基づいて広告を選択する（ステップＳ１０３）。例えば、選択部５３２は、見出しコンテンツＣＴ１１に関する情報に基づいて広告ＡＣ１１を選択する。そして、広告配信装置５０の配信部５３３は、選択した広告を配信する（ステップＳ１０４）。例えば、配信部５３３は、選択部５３２により見出しコンテンツＣＴ１１に関する情報に基づいて選択された広告ＡＣ１１を配信する。
【００７９】
〔６．広告配信のフロー〕
次に、図８を用いて、実施形態に係る端末装置１０による広告受信処理の手順について説明する。図８は、実施形態に係る広告を受信する処理の一例を示すフローチャートである。なお、図８に示す例では、端末装置１０に遷移元である一覧コンテンツが表示され、一覧コンテンツのうち、一の見出しコンテンツがユーザにより指定された後の処理を示す。
【００８０】
図８に示すように、端末装置１０の表示部１５４は、遷移先（記事コンテンツ）を表示する（ステップＳ２０１）。例えば、表示部１５４は、遷移元である一覧コンテンツＣＴ１０においてユーザが見出しコンテンツＣＴ１１を指定した場合、見出しコンテンツＣＴ１１に対応する遷移先である記事コンテンツＣＴ１１０を表示する。
【００８１】
その後、端末装置１０の受付部１５１が遷移先の表示を終了する操作を受け付けた場合（ステップＳ２０２：Ｙｅｓ）、広告を受信せずに処理を終了する。
【００８２】
また、端末装置１０の受付部１５１が遷移先の表示を終了する操作を受け付けていない場合（ステップＳ２０２：Ｎｏ）、端末装置１０（例えば受付部１５１）は、所定の条件を満たしたかどうかを判定する（ステップＳ２０３）。具体的には、端末装置１０は、遷移先が表示される時間が所定の時間に達した場合、所定の条件を満たしたと判定してもよい。例えば、端末装置１０は、見出しコンテンツＣＴ１１の遷移先である記事コンテンツＣＴ１１０が５秒以上表示された場合、所定の条件を満たしたと判定してもよい。また、端末装置１０は、遷移先において所定のユーザ操作がされた場合、所定の条件を満たしたと判定してもよい。例えば、端末装置１０は、見出しコンテンツＣＴ１１の遷移先である記事コンテンツＣＴ１１０の表示中にユーザがスクロール操作を行った場合、所定の条件を満たしたと判定してもよい。
【００８３】
所定の条件を満たしたと判定された場合（ステップＳ２０３：Ｙｅｓ）、端末装置１０の送信部１５２は、広告要求を広告配信装置５０へ送信する（ステップＳ２０４）。また、例えば、送信部１５２は、遷移元である一覧コンテンツＣＴ１０においてユーザが指定した見出しコンテンツＣＴ１１に関する情報を広告配信装置５０へ送信してもよい。
【００８４】
その後、端末装置１０の受信部１５３は、広告配信装置５０から配信された広告を受信する（ステップＳ２０５）。例えば、受信部１５３は、広告配信装置５０から配信された見出しコンテンツＣＴ１１に関する情報に基づく広告ＡＣ１１を受信する。なお、所定の条件を満たさないと判定された場合（ステップＳ２０３：Ｎｏ）、ステップＳ２０２に戻って処理を繰り返す。
【００８５】
〔７．広告表示のフロー〕
次に、図９を用いて、実施形態に係る端末装置１０による広告表示処理の手順について説明する。図９は、実施形態に係る広告を表示する処理の一例を示すフローチャートである。なお、図９に示す例では、端末装置１０において遷移先である見出しコンテンツＣＴ１１０から一覧コンテンツＣＴ１０に表示を変更する際における広告表示の処理を示す。
【００８６】
図９に示すように、受付部１５１は、ユーザによる遷移元へ戻る操作を受け付ける（ステップＳ３０１）。図１に示す例では、受付部１５１は、ユーザは戻るボタンＢＴ１１が表示された部分を指Ｆ１でタッチすることにより、遷移元である一覧コンテンツＣＴ１０へ戻る操作を受け付ける。
【００８７】
また、受信部１５３により広告が受信されている場合（ステップＳ３０２：Ｙｅｓ）、端末装置１０の更新部１５５は、遷移元における広告の表示位置を決定する。例えば、更新部１５５は、遷移元である一覧コンテンツＣＴ１０における広告の表示する広告表示領域ＡＲ１１の位置を決定する（ステップＳ３０３）。
【００８８】
その後、更新部１５５は、広告の表示位置に応じて遷移元の表示態様を変更して再表示する（ステップＳ３０４）。例えば、更新部１５５は、見出しコンテンツＣＴ１１、広告表示領域ＡＲ１１、見出しコンテンツＣＴ１２、ＣＴ１３の順で並ぶ一覧コンテンツＣＴ１０を再表示させる。このように、更新部１５５は、広告表示領域ＡＲ１１の位置に応じて一覧コンテンツＣＴ１０の表示態様を変更して再表示する。
【００８９】
そして、更新部１５５は、広告を表示位置へスライドイン表示させる（ステップＳ３０５）。例えば、更新部１５５は、広告表示領域ＡＲ１１に広告ＡＣ１１をスライドイン表示させる。なお、受信部１５３により広告が受信されていない場合（ステップＳ３０２：Ｎｏ）、表示態様を変更させることなく遷移元を再表示する（ステップＳ３０６）。
【００９０】
〔８．変形例〕
上述した実施形態に係る配信システム１は、上記実施形態以外にも種々の異なる形態にて実施されてよい。そこで、以下では、配信システム１の他の実施形態について説明する。なお、実施形態と同一部分には、同一符号を付して説明を省略する。
【００９１】
〔８−１．新たなコンテンツの表示位置〕
上述した例においては、更新部１５５は、ユーザが指定したコンテンツの配置位置から下に連続する位置に新たなコンテンツを配置したが、新たなコンテンツは目的に応じて種々の位置に配置されてもよい。この点について、以下説明する。
【００９２】
〔８−１−１．一部表示される位置への表示〕
例えば、更新部１５５は、一覧の所定の方向の端部において一部が表示される位置に新たなコンテンツを表示してもよい。図１０は、変形例に係る表示処理の一例を示す図である。具体的には、図１０は、新たなコンテンツである広告ＡＣ１１を一部が表示される位置に表示する例を示す。図１０では、端末装置１０における表示についてのみ説明するため、コンテンツ配信装置１００や広告配信装置５０との情報の送受信については、説明を省略する。なお、図１０におけるコンテンツ配信装置１００や広告配信装置５０との情報の送受信のタイミングは、図１におけるコンテンツ配信装置１００や広告配信装置５０との情報の送受信のタイミングと同様であってもよい。
【００９３】
以下、図１０を用いて、端末装置１０における表示処理の一例を説明する。図１０では、端末装置１０における表示内容の変更に応じて、端末装置１０を端末装置１０−２１〜端末装置１０−２４として説明する。なお、端末装置１０−２１〜１０−２４は同一の端末装置１０である。また、以下では、端末装置１０−２１〜端末装置１０−２４について、特に区別なく説明する場合には、端末装置１０と記載する。
【００９４】
図１０に示すように、端末装置１０−２１は、見出しコンテンツＣＴ１１〜ＣＴ１４を含む一覧コンテンツＣＴ１０を表示する。そして、ユーザは見出しコンテンツＣＴ１１が表示された部分を指Ｆ１でタッチすることにより、端末装置１０−１に表示された一覧コンテンツＣＴ１０のうち、見出しコンテンツＣＴ１１を選択する（ステップＳ２１）。
【００９５】
ステップＳ２１において見出しコンテンツＣＴ１１が選択された後、端末装置１０−２２は、見出しコンテンツＣＴ１１の遷移先である記事コンテンツＣＴ１１０を表示する（ステップＳ２２）。その後、ユーザは戻るボタンＢＴ１１を押下することにより（ステップＳ２３）、遷移元を再表示する（ステップＳ２４）。具体的には、ユーザは戻るボタンＢＴ１１が表示された部分を指Ｆ１でタッチすることにより、一覧コンテンツＣＴ１０を再表示する。
【００９６】
ここで、端末装置１０−２３において再表示された一覧コンテンツＣＴ１０には、広告表示領域ＡＲ２１が含まれる。具体的には、端末装置１０−２３において表示された一覧コンテンツＣＴ１０には、端末装置１０の画面において一部が表示される位置に広告表示領域ＡＲ２１が配置される。つまり、端末装置１０−２３には、見出しコンテンツＣＴ１１〜ＣＴ１３、広告表示領域ＡＲ２１の順で並ぶ一覧コンテンツＣＴ１０が表示される。また、端末装置１０−２３中の一覧コンテンツＣＴ１０において、見出しコンテンツＣＴ１４は表示されなくなる。このように、端末装置１０は、端末装置１０の画面において一部が表示される位置に広告表示領域ＡＲ２１が配置されるように一覧コンテンツＣＴ１０を更新する。
【００９７】
そして、端末装置１０−２３中の広告表示領域ＡＲ２１には、広告ＡＣ１１がスライドイン表示される（ステップＳ２５）。具体的には、端末装置１０−２３中の広告表示領域ＡＲ２１には、広告ＡＣ１１が広告表示領域ＡＲ２１の右端部から徐々に左端部へ向かって移動するように広告ＡＣ１１が差し込み表示される。そして、端末装置１０−２４において、広告ＡＣ１１が広告表示領域ＡＲ２１の左端部まで到達することにより、広告ＡＣ１１が表示される（ステップＳ２６）。このように、端末装置１０の画面において一部が表示される位置に広告ＡＣ１１を表示させることにより、端末装置１０は、ユーザに違和感なく広告ＡＣ１１を表示させることができる。したがって、端末装置１０は、表示する広告の広告効果を高めることができる。すなわち、端末装置１０は、適切な位置に適切なコンテンツを表示することができる。
【００９８】
〔８−１−２．表示中の広告との差し替え表示〕
また、例えば、更新部１５５は、一覧に含まれる他の広告の位置に広告を表示してもよい。図１１は、変形例に係る表示処理の一例を示す図である。具体的には、図１１は、新たなコンテンツである広告ＡＣ１１を他の広告が表示されていた位置に表示する例を示す。図１１では、端末装置１０における表示についてのみ説明するため、コンテンツ配信装置１００や広告配信装置５０との情報の送受信については、説明を省略する。なお、図１１におけるコンテンツ配信装置１００や広告配信装置５０との情報の送受信のタイミングは、図１におけるコンテンツ配信装置１００や広告配信装置５０との情報の送受信のタイミングと同様であってもよい。
【００９９】
以下、図１１を用いて、端末装置１０における表示処理の一例を説明する。図１１では、端末装置１０における表示内容の変更に応じて、端末装置１０を端末装置１０−３１〜端末装置１０−３４として説明する。なお、端末装置１０−３１〜１０−３４は同一の端末装置１０である。また、以下では、端末装置１０−３１〜端末装置１０−３４について、特に区別なく説明する場合には、端末装置１０と記載する。
【０１００】
図１１に示すように、端末装置１０−３１は、見出しコンテンツＣＴ１１、広告ＡＣ１５、見出しコンテンツＣＴ１２、ＣＴ１３の順に並ぶ一覧コンテンツＣＴ１０を表示する。そして、ユーザは見出しコンテンツＣＴ１１が表示された部分を指Ｆ１でタッチすることにより、端末装置１０−１に表示された一覧コンテンツＣＴ１０のうち、見出しコンテンツＣＴ１１を選択する（ステップＳ３１）。
【０１０１】
ステップＳ３１において見出しコンテンツＣＴ１１が選択された後、端末装置１０−２２は、見出しコンテンツＣＴ１１の遷移先である記事コンテンツＣＴ１１０を表示する（ステップＳ３２）。その後、ユーザは戻るボタンＢＴ１１を押下することにより（ステップＳ３３）、遷移元を再表示する（ステップＳ３４）。具体的には、ユーザは戻るボタンＢＴ１１が表示された部分を指Ｆ１でタッチすることにより、一覧コンテンツＣＴ１０を再表示する。
【０１０２】
ここで、端末装置１０−３３において再表示された一覧コンテンツＣＴ１０には、広告表示領域ＡＲ３１が含まれる。具体的には、端末装置１０−２３において表示された一覧コンテンツＣＴ１０には、端末装置１０−３１において広告ＡＣ１５が表示されていた位置に広告表示領域ＡＲ３１が配置される。つまり、端末装置１０−３３においては、見出しコンテンツＣＴ１１、広告表示領域ＡＲ３１、見出しコンテンツＣＴ１２、ＣＴ１３の順で並ぶ一覧コンテンツＣＴ１０が表示される。このように、端末装置１０は、広告ＡＣ１５が表示されていた位置に広告表示領域ＡＲ３１が配置されるように一覧コンテンツＣＴ１０を更新する。
【０１０３】
そして、端末装置１０−３３中の広告表示領域ＡＲ３１には、広告ＡＣ１１がスライドイン表示される（ステップＳ３５）。具体的には、端末装置１０−３３中の広告表示領域ＡＲ３１には、広告ＡＣ１１が広告表示領域ＡＲ２１の右端部から徐々に左端部へ向かって移動するように広告ＡＣ１１が差し込み表示される。そして、端末装置１０−３４において、広告ＡＣ１１が広告表示領域ＡＲ３１の左端部まで到達することにより、広告ＡＣ１１が表示される（ステップＳ３６）。このように、端末装置１０において広告ＡＣ１５が表示されていた位置に広告ＡＣ１１を表示させることにより、端末装置１０を利用するユーザに違和感なく広告ＡＣ１１を表示させることができる。したがって、端末装置１０は、表示する広告の広告効果を高めることができる。すなわち、端末装置１０は、適切な位置に適切なコンテンツを表示することができる。
【０１０４】
〔９．効果〕
上述してきたように、実施形態及び変形例に係る端末装置１０は、表示部１５４と、更新部１５５と、を有する。表示部１５４は、複数のコンテンツを含む一覧を表示する。また、更新部１５５は、複数のコンテンツのうち、ユーザ操作により指定された一のコンテンツに基づく新たなコンテンツを、一のコンテンツの表示位置に基づく位置に表示するように一覧を更新する。
【０１０５】
これにより、実施形態及び変形例に係る端末装置１０は、ユーザが選択した一のコンテンツに基づく新たなコンテンツを、一のコンテンツが表示される位置に基づく位置に表示することができる。したがって、端末装置１０は、ユーザが新たなコンテンツに注目する可能性を高めることができる。すなわち、端末装置１０は、適切な位置に適切なコンテンツを表示することができる。
【０１０６】
また、実施形態及び変形例に係る端末装置１０において、更新部１５５は、一のコンテンツの遷移先を表示した後、一覧を表示させる際に一のコンテンツの表示位置に基づく位置に新たなコンテンツを表示させる。
【０１０７】
これにより、実施形態及び変形例に係る端末装置１０は、ユーザが選択した一のコンテンツに遷移先から一覧に戻ってきた際に新たなコンテンツを表示することにより、ユーザに違和感を与えることなく新たなコンテンツを表示することができる。すなわち、端末装置１０は、適切にコンテンツを表示することができる。
【０１０８】
また、実施形態及び変形例に係る端末装置１０において、更新部１５５は、遷移先の表示態様が所定の条件を満たした場合、遷移先から一覧に表示を更新する際に一のコンテンツの表示位置に基づく位置に新たなコンテンツを表示させる。
【０１０９】
これにより、実施形態及び変形例に係る端末装置１０は、遷移先の表示態様が所定の条件を満たした場合のみ新たなコンテンツを表示することにより、ユーザが誤って一のコンテンツを選択した場合に、新たなコンテンツを表示することを抑制できる。すなわち、端末装置１０は、ユーザが関心の低いコンテンツに関する新たなコンテンツが表示されることを抑制することにより、適切にコンテンツを表示することができる。
【０１１０】
また、実施形態及び変形例に係る端末装置１０において、更新部１５５は、遷移先が表示される時間が所定の時間に達した場合、遷移先から一覧に表示を更新する際に一のコンテンツの表示位置に基づく位置に新たなコンテンツを表示させる。
【０１１１】
これにより、実施形態及び変形例に係る端末装置１０は、遷移先が表示された時間に基づいて、新たなコンテンツを表示するかを決定することにより、ユーザが誤って一のコンテンツを選択した場合に、新たなコンテンツを表示することを抑制できる。すなわち、端末装置１０は、ユーザが関心の低いコンテンツに関する新たなコンテンツが表示されることを抑制することにより、適切にコンテンツを表示することができる。
【０１１２】
また、実施形態及び変形例に係る端末装置１０において、更新部１５５は、遷移先において所定のユーザ操作がされた場合、遷移先から一覧に表示を更新する際に一のコンテンツの表示位置に基づく位置に新たなコンテンツを表示させる。
【０１１３】
これにより、実施形態及び変形例に係る端末装置１０は、遷移先におけるユーザ操作に基づいて、新たなコンテンツを表示するかを決定することにより、ユーザが誤って一のコンテンツを選択した場合に、新たなコンテンツを表示することを抑制できる。すなわち、端末装置１０は、ユーザが関心の低いコンテンツに関する新たなコンテンツが表示されることを抑制することにより、適切にコンテンツを表示することができる。
【０１１４】
また、実施形態及び変形例に係る端末装置１０において、更新部１５５は、新たなコンテンツを一覧に所定の方向からスライドインさせて表示する。
【０１１５】
これにより、実施形態及び変形例に係る端末装置１０は、新たなコンテンツをスライドイン表示させることにより、ユーザに新たなコンテンツが表示されることを認識させることができる。これにより、端末装置１０は、ユーザが認識しない間に新たなコンテンツが表示されることを抑制し、ユーザの満足度が低下することを抑制できる。また、端末装置１０は、ユーザを新たなコンテンツに注目させることができる。
【０１１６】
また、実施形態及び変形例に係る端末装置１０において、更新部１５５は、一のコンテンツに隣接する位置に前記新たなコンテンツを表示する。
【０１１７】
これにより、実施形態及び変形例に係る端末装置１０は、一のコンテンツに隣接する位置に新たなコンテンツを表示されることにより、ユーザが新たなコンテンツに注目する可能性を高めることができる。すなわち、端末装置１０は、適切な位置に適切なコンテンツを表示することができる。
【０１１８】
また、実施形態及び変形例に係る端末装置１０において、更新部１５５は、一覧の所定の方向の端部において一部が表示される位置に新たなコンテンツを表示する。
【０１１９】
これにより、実施形態及び変形例に係る端末装置１０は、一部が表示される位置に新たなコンテンツを表示することにより、新たなコンテンツをユーザが内容を認識してないコンテンツが表示されていた位置に表示させることができる。したがって、端末装置１０は、ユーザが認識している可能性があるコンテンツが表示されていた位置に新たなコンテンツが表示されることを抑制し、ユーザの満足度が低下することを抑制できる。
【０１２０】
また、実施形態及び変形例に係る端末装置１０において、更新部１５５は、新たなコンテンツとして一のコンテンツに基づいて選択された広告を、一のコンテンツの表示位置に基づく位置に表示するように一覧を更新する。
【０１２１】
これにより、実施形態及び変形例に係る端末装置１０は、適切な位置に適切な広告を表示することができる。したがって、端末装置１０は、表示する広告の広告効果を高めることができる。
【０１２２】
また、実施形態及び変形例に係る端末装置１０において、更新部１５５は、一覧に含まれる他の広告の位置に広告を表示する。
【０１２３】
これにより、実施形態及び変形例に係る端末装置１０は、既に表示されていた広告を差し替えることにより、広告以外のコンテンツの表示態様が変化することを抑制し、端末装置１０を利用するユーザに違和感なく広告を表示させることができる。
【０１２４】
また、実施形態及び変形例に係る配信装置（実施形態においては「コンテンツ配信装置１００」）は、受付部１３１と、配信部１３３と、を有する。受付部１３１は、一覧表示された複数のコンテンツのうち、ユーザ操作により指定された一のコンテンツに基づいて選択された新たなコンテンツを、一のコンテンツの表示位置に基づく位置に表示する端末装置１０からコンテンツの配信要求を受け付ける。また、配信部１３３は、複数のコンテンツを端末装置１０へ配信する。
【０１２５】
これにより、実施形態及び変形例に係るコンテンツ配信装置１００は、ユーザが選択した一のコンテンツに基づく新たなコンテンツであって、一のコンテンツが表示される位置に基づく位置に表示される新たなコンテンツを配信することができる。すなわち、コンテンツ配信装置１００は、適切な位置に表示されるコンテンツを配信することができる。
【０１２６】
〔１０．ハードウェア構成〕
上述してきた実施形態及び変形例に係る端末装置１０、広告配信装置５０及びコンテンツ配信装置１００は、例えば図１２に示すような構成のコンピュータ１０００によって実現される。図１２は、広告配信装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２７】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２８】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１２９】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１３０】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１３１】
例えば、コンピュータ１０００が実施形態及び変形例に係る端末装置１０、広告配信装置５０及びコンテンツ配信装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１３２】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１３３】
〔１１．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１３４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３５】
また、上述してきた実施形態及び変形例は、処理内容を矛盾させない範囲で適宜組み合わせることが可能である。
【０１３６】
また、上述してきた「部（section、module、unit）」は、「手段」や「回路」などに読み替えることができる。例えば、受付部は、受付手段や受付回路に読み替えることができる。
【符号の説明】
【０１３７】
１  配信システム
１０  端末装置
１５  制御部
１５１  受付部
１５２  送信部
１５３  受信部
１５４  表示部
１５５  更新部
１００  コンテンツ配信装置（配信装置）
１２１  コンテンツ情報記憶部
１３０  制御部
１３１  受付部
１３２  選択部
１３３  配信部
５０  広告配信装置
５２１  広告情報記憶部
５３  制御部
５３１  受付部
５３２  選択部
５３３  配信部
Ｎ  ネットワーク
【図１】
2017045165.tif 000003
【図２】
2017045165.tif 000004
【図３】
2017045165.tif 000005
【図４】
2017045165.tif 000006
【図５】
2017045165.tif 000007
【図６】
2017045165.tif 000008
【図７】
2017045165.tif 000009
【図８】
2017045165.tif 000010
【図９】
2017045165.tif 000011
【図１０】
2017045165.tif 000012
【図１１】
2017045165.tif 000013
【図１２】
2017045165.tif 000014
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
複数のコンテンツを含む一覧を表示する表示部と、
前記複数のコンテンツのうち、ユーザ操作により一のコンテンツが指定された場合に、当該ユーザ操作により指定された前記一のコンテンツに基づく新たなコンテンツを、前記一のコンテンツの表示位置に基づく位置に表示するように前記一覧を更新する更新部と、
を備えたことを特徴とする端末装置。
【請求項２】
前記更新部は、
前記一のコンテンツの遷移先を表示した後、前記一覧を表示させる際に前記一のコンテンツの表示位置に基づく位置に前記新たなコンテンツを表示させる
ことを特徴とする請求項１に記載の端末装置。
【請求項３】
前記更新部は、
前記遷移先の表示態様が所定の条件を満たした場合、前記遷移先から前記一覧に表示を更新する際に前記一のコンテンツの表示位置に基づく位置に前記新たなコンテンツを表示させる
ことを特徴とする請求項２に記載の端末装置。
【請求項４】
前記更新部は、
前記遷移先が表示される時間が所定の時間に達した場合、前記遷移先から前記一覧に表示を更新する際に前記一のコンテンツの表示位置に基づく位置に前記新たなコンテンツを表示させる
ことを特徴とする請求項３に記載の端末装置。
【請求項５】
前記更新部は、
前記遷移先において所定のユーザ操作がされた場合、前記遷移先から前記一覧に表示を更新する際に前記一のコンテンツの表示位置に基づく位置に前記新たなコンテンツを表示させる
ことを特徴とする請求項３に記載の端末装置。
【請求項６】
前記更新部は、
前記新たなコンテンツを前記一覧に所定の方向からスライドインさせて表示する
ことを特徴とする請求項１〜５のいずれか１項に記載の端末装置。
【請求項７】
前記更新部は、
前記一のコンテンツに隣接する位置に前記新たなコンテンツを表示する
ことを特徴とする請求項１〜６のいずれか１項に記載の端末装置。
【請求項８】
前記更新部は、
前記一覧の所定の方向の端部において一部が表示される位置に前記新たなコンテンツを表示する
ことを特徴とする請求項１〜７のいずれか１項に記載の端末装置。
【請求項９】
前記更新部は、
前記新たなコンテンツとして前記一のコンテンツに基づいて選択された広告を、前記一のコンテンツの表示位置に基づく位置に表示するように前記一覧を更新する
ことを特徴とする請求項１〜８のいずれか１項に記載の端末装置。
【請求項１０】
前記更新部は、
前記一覧に含まれる他の広告の位置に前記広告を表示する
ことを特徴とする請求項９に記載の端末装置。
【請求項１１】
コンピュータが実行する表示方法であって、
複数のコンテンツを含む一覧を表示する表示工程と、
前記複数のコンテンツのうち、ユーザ操作により一のコンテンツが指定された場合に、当該ユーザ操作により指定された前記一のコンテンツに基づく新たなコンテンツを、前記一のコンテンツの表示位置に基づく位置に表示するように前記一覧を更新する更新工程と、
を含むことを特徴とする表示方法。
【請求項１２】
端末装置に実行させる表示プログラムであって、
複数のコンテンツを含む一覧を表示する表示手順と、
前記複数のコンテンツのうち、ユーザ操作により一のコンテンツが指定された場合に、当該ユーザ操作により指定された前記一のコンテンツに基づく新たなコンテンツを、前記一のコンテンツの表示位置に基づく位置に表示するように前記一覧を更新する更新手順と、
を端末装置に実行させることを特徴とする表示プログラム。
【請求項１３】
一覧表示された複数のコンテンツのうち、ユーザ操作により一のコンテンツが指定された場合に、当該ユーザ操作により指定された一のコンテンツに基づいて選択された新たなコンテンツを、前記一のコンテンツの表示位置に基づく位置に表示する端末装置からコンテンツの配信要求を受け付ける受付部と、
前記複数のコンテンツを前記端末装置へ配信する配信部と、
を備えたことを特徴とする配信装置。
【請求項１４】
コンピュータが実行する配信方法であって、
一覧表示された複数のコンテンツのうち、ユーザ操作により一のコンテンツが指定された場合に、当該ユーザ操作により指定された一のコンテンツに基づいて選択された新たなコンテンツを、前記一のコンテンツの表示位置に基づく位置に表示する端末装置からコンテンツの配信要求を受付工程と、
前記複数のコンテンツを前記端末装置へ配信する配信工程と、
を含むことを特徴とする配信方法。
【請求項１５】
一覧表示された複数のコンテンツのうち、ユーザ操作により一のコンテンツが指定された場合に、当該ユーザ操作により指定された一のコンテンツに基づいて選択された新たなコンテンツを、前記一のコンテンツの表示位置に基づく位置に表示する端末装置からコンテンツの配信要求を受付手順と、
前記複数のコンテンツを前記端末装置へ配信する配信手順と、
をコンピュータに実行させることを特徴とする配信プログラム。
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
複数のコンテンツを含む一覧を表示する表示部と、
前記複数のコンテンツのうち、ユーザ操作により一のコンテンツが指定された場合に、前記一のコンテンツの遷移先を表示する画面に表示画面が遷移した後、前記一覧を表示する画面に表示画面が遷移する際に、当該ユーザ操作により指定された前記一のコンテンツに基づく新たなコンテンツを、前記一のコンテンツの表示位置に基づく位置に表示するように前記一覧を更新する更新部と、
を備えたことを特徴とする端末装置。
【請求項２】
前記更新部は、
前記遷移先の表示態様が所定の条件を満たした場合、前記遷移先から前記一覧に表示を更新する際に前記一のコンテンツの表示位置に基づく位置に前記新たなコンテンツを表示させる
ことを特徴とする請求項１に記載の端末装置。
【請求項３】
前記更新部は、
前記遷移先が表示される時間が所定の時間に達した場合、前記遷移先から前記一覧に表示を更新する際に前記一のコンテンツの表示位置に基づく位置に前記新たなコンテンツを表示させる
ことを特徴とする請求項２に記載の端末装置。
【請求項４】
前記更新部は、
前記遷移先において所定のユーザ操作がされた場合、前記遷移先から前記一覧に表示を更新する際に前記一のコンテンツの表示位置に基づく位置に前記新たなコンテンツを表示させる
ことを特徴とする請求項２に記載の端末装置。
【請求項５】
前記更新部は、
前記新たなコンテンツを前記一覧に所定の方向からスライドインさせて表示する
ことを特徴とする請求項１〜４のいずれか１項に記載の端末装置。
【請求項６】
前記更新部は、
前記一のコンテンツに隣接する位置に前記新たなコンテンツを表示する
ことを特徴とする請求項１〜５のいずれか１項に記載の端末装置。
【請求項７】
前記更新部は、
前記一覧の所定の方向の端部において一部が表示される位置に前記新たなコンテンツを表示する
ことを特徴とする請求項１〜６のいずれか１項に記載の端末装置。
【請求項８】
前記更新部は、
前記新たなコンテンツとして前記一のコンテンツに基づいて選択された広告を、前記一のコンテンツの表示位置に基づく位置に表示するように前記一覧を更新する
ことを特徴とする請求項１〜７のいずれか１項に記載の端末装置。
【請求項９】
前記更新部は、
前記一覧に含まれる他の広告の位置に前記広告を表示する
ことを特徴とする請求項８に記載の端末装置。
【請求項１０】
コンピュータが実行する表示方法であって、
複数のコンテンツを含む一覧を表示する表示工程と、
前記複数のコンテンツのうち、ユーザ操作により一のコンテンツが指定された場合に、前記一のコンテンツの遷移先を表示する画面に表示画面が遷移した後、前記一覧を表示する画面に表示画面が遷移する際に、当該ユーザ操作により指定された前記一のコンテンツに基づく新たなコンテンツを、前記一のコンテンツの表示位置に基づく位置に表示するように前記一覧を更新する更新工程と、
を含むことを特徴とする表示方法。
【請求項１１】
端末装置に実行させる表示プログラムであって、
複数のコンテンツを含む一覧を表示する表示手順と、
前記複数のコンテンツのうち、ユーザ操作により一のコンテンツが指定された場合に、前記一のコンテンツの遷移先を表示する画面に表示画面が遷移した後、前記一覧を表示する画面に表示画面が遷移する際に、当該ユーザ操作により指定された前記一のコンテンツに基づく新たなコンテンツを、前記一のコンテンツの表示位置に基づく位置に表示するように前記一覧を更新する更新手順と、
を端末装置に実行させることを特徴とする表示プログラム。
【請求項１２】
一覧表示された複数のコンテンツのうち、ユーザ操作により一のコンテンツが指定された場合に、前記一のコンテンツの遷移先を表示する画面に表示画面が遷移した後、前記一覧を表示する画面に表示画面が遷移する際に、当該ユーザ操作により指定された一のコンテンツに基づいて選択された新たなコンテンツを、前記一のコンテンツの表示位置に基づく位置に表示する端末装置からコンテンツの配信要求を受け付ける受付部と、
前記複数のコンテンツを前記端末装置へ配信する配信部と、
を備えたことを特徴とする配信装置。
【請求項１３】
コンピュータが実行する配信方法であって、
一覧表示された複数のコンテンツのうち、ユーザ操作により一のコンテンツが指定された場合に、前記一のコンテンツの遷移先を表示する画面に表示画面が遷移した後、前記一覧を表示する画面に表示画面が遷移する際に、当該ユーザ操作により指定された一のコンテンツに基づいて選択された新たなコンテンツを、前記一のコンテンツの表示位置に基づく位置に表示する端末装置からコンテンツの配信要求を受付工程と、
前記複数のコンテンツを前記端末装置へ配信する配信工程と、
を含むことを特徴とする配信方法。
【請求項１４】
一覧表示された複数のコンテンツのうち、ユーザ操作により一のコンテンツが指定された場合に、前記一のコンテンツの遷移先を表示する画面に表示画面が遷移した後、前記一覧を表示する画面に表示画面が遷移する際に、当該ユーザ操作により指定された一のコンテンツに基づいて選択された新たなコンテンツを、前記一のコンテンツの表示位置に基づく位置に表示する端末装置からコンテンツの配信要求を受付手順と、
前記複数のコンテンツを前記端末装置へ配信する配信手順と、
をコンピュータに実行させることを特徴とする配信プログラム。